(57)【要約】【課題】照明器具を縦方向において挟止し、これを固定金具のみによって、保持固定させる場合、照明器具は自重によって下方にずれ易く、これを防止するため、強く挟止すれば傷つける危険もあり、又作業に際しても、照明器具と挟止する固定金具を同時に保持せねばならず、作業効率にも問題があったため、これらを解決することを課題とした。【解決手段】以上の課題を解決するため、照明器具のずれを防止するずれ止め金具を使用し、該金具には、略中央に突起部、下方の先端には、水平部をそれぞれ形成し、突起部及び水平部によって、固定金具と照明器具の下端をそれぞれ支承させるもので、ネジ１本の作業によってその作業を可能とした。【選択図】    図４
2004327407.tif 000002
【特許請求の範囲】
【請求項１】
照明器具を固定金具によって挟止し締結固定する場合において、ズレ止め金具を使用し、該ズレ止め金具の上方にはネジ穴、その下方に突起部、下方の先端には短い水平状の屈折部を設け、前記のネジ穴は照明器具を挟止した固定金具のネジ穴に合わせて両ネジ穴をネジで締結固定し、前記の突起部は固定金具の下端面を支承させると共に、短い水平状の屈折部は照明器具の下端面を支承させてなる照明器具のズレ止め装置。
【発明の詳細な説明】
【０００１】
【発明の属する技術】
本発明は、照明器具のズレを防止するための装置に関する。
【０００２】
【従来の技術】
従来、シリンダータイプの照明器具は、浸水に弱い電気部品を密閉でき、屋外、水辺、トンネル内、工作機械内等の過酷な条件の環境にも耐えるため各種のタイプが使用されているが、しかし密閉性を保持しつつ照明器具を固定する方法は比較的限られており、そして固定するに当たっても、照明器具の長手方向には荷重の負担多く、そのため横手方向に取り付けることが多かった。したがって、長手の縦方向に取り付けるには、別途のズレ止め金具を用いたり、又は特に固く締め付けるなどの条件が必要であった。
しかしながら、照明器具を固く締め付けるに当たっては、施工者は大きな力を加えねばならず、施工の完了も確認しにくいだけでなく、強力な締め付けのためには、例えば六角レンチなどの特殊工具も必要であり、そして照明器具には過剰な荷重がかかり破損を招く恐れがあるため、締める時は必然に限界があったものである。その一方、破損防止のため、締め付けを緩くすれば、自重、振動などによって位置ずれなどの起こる欠点もあったものである。例えば図１１、１２参照。
【０００３】
【発明が解決しようとする課題】
従来、照明器具を縦方向に取り付ける場合に当たっては、固定金具のみの挟止では重量によって、上下にずれが生じ易く、又締め付けを強くすれば照明器具を傷つける危険もあり、更には作業に際しても一人にては作業がしにくいなどの問題があるため、一人でも作業し易く、照明器具を傷つけることなく、又振動や自重によるズレなども防止することを課題とした。
【０００４】
【課題を解決するための手段】
上記の課題を解決するために、照明器具を固定金具で挟止してこれを保持させる場合において、ズレ止め金具を使用し、該ズレ止め金具には屈折部と突起部を設け、これによって挟止された照明器具と、固定金具をそれぞれ支承させて照明器具の自重や振動によるズレを防止した。
【０００５】
【発明の実施の形態】
以下、本発明の実施の形態について、図面を参照して説明する。
図１は、本発明の照明器具におけるズレ止め装置に使用するズレ止め金具（１）の全体の正面図及び側面図を示すものであり、該ズレ止め金具（１）の上方にはネジ穴（１）Ｃ、その下方には突起部（１）Ｂ、そして下方の先端は、短く水平状に屈折した屈折部（１）Ａをそれぞれ設けているものである。
かかるズレ止め金具（１）を取り付けるに当たっては、図４に示す如く照明器具（４）を挟止する固定金具（２）に取り付けるものであるが、その方法は、ズレ止め金具のネジ穴（１）Ｃを、固定金具（２）のネジ穴（２）Ｂに合わせ、この両ネジ穴をネジ（３）によって締結固定させるが、これに先立って、照明器具（４）を固定金具（２）に挿通して、締結部（２）Ａによって照明器具（４）を締め付け挟止し、このとき図４の如く、照明器具（４）の下端面の一部は、ズレ止め金具（１）の水平状に屈折した屈折部（１）Ａで支承させると共に、突起部（１）Ｂは固定金具の下端面の一部を支承させるものであって、その後、ネジ穴（１）Ｃとネジ穴（２）Ｂを合わせ、この両ネジ穴をネジ（３）によってネジ止め締結すればそれでよく、すなわち、ネジ切り部（３）Ａのもとまで一杯に締め付ければ屈折部（１）Ａ、突起部（１）Ｂはそれぞれかかる位置に図４の如く自動的に固定されるものであって、一方、ネジ（３）をゆるめれば図６の如く自動的に解除の位置に移動するものである。
すなわち、屈折部（１）Ａ及び突起部（１）Ｂは、ネジ（３）を一杯に締め付けた場合には、屈折部（１）Ａは照明器具（４）、突起部（１）Ｂは固定金具（２）のそれぞれの下端面を支承する位置に予め調整設定されているものである。
【０００６】
【発明の効果】
以上の構成からなる本発明は、従来、縦長の照明器具においては、これを固定金具のみによってこれを挟止させた場合は、一人では作業がしにくいのみでなく、照明器具の自重や振動などによってその位置にズレが生じやすいなどの欠点があったが、すなわち、わずかにズレ止め金具１個を使用するだけの工程で照明器具のズレを防止し、一人でも容易に作業がし易く、作業効率をもよくしたものである。したがって、例えば図１１に示すような照明器具の上下端のキャップは、ズレの防止によって、はずれるようなこともなく、キャップの外れによる浸水、漏電、絶縁低下、感電等の心配もないものである。
なお、ズレ止め金具における固定金具を支承する突起部は、例えば図８、９に示す如く、突起部に代えて屈折部を形成して支承させても効果において変わりなく、又図１０の如く、固定金具の上辺を屈折させても同じである。
【図面の簡単な説明】
【図１】（Ａ）ズレ止め金具の正面図      （Ｂ）同側面図
【図２】固定金具とズレ止め金具の斜視図
【図３】固定金具とズレ止め金具の取付図
【図４】実施状態の正面図
【図５】実施状態の側面図
【図６】解除時の正面図
【図７】解除時の側面図
【図８】（Ａ）他の実施状態を示す正面図  （Ｂ）同側面図
【図９】（Ａ）他の実施状態を示す正面図  （Ｂ）同側面図
【図１０】（Ａ）他の実施状態を示す正面図  （Ｂ）同側面図
【図１１】従来例の正面図
【図１２】従来例の平面図
【符号の説明】
（１）‥ズレ止め金具（１）Ａ‥屈折部    （１）Ｂ‥突起部
（１）Ｃ‥ネジ穴
（２）‥固定金具    （２）Ａ‥締結部    （２）Ｂ‥ネジ穴
（３）‥ネジ        （３）Ａ‥ネジ切り部
（４）‥照明器具
【図１】
2004327407.tif 000003
【図２】
2004327407.tif 000004
【図３】
2004327407.tif 000005
【図４】
2004327407.tif 000006
【図５】
2004327407.tif 000007
【図６】
2004327407.tif 000008
【図７】
2004327407.tif 000009
【図８】
2004327407.tif 000010
【図９】
2004327407.tif 000011
【図１０】
2004327407.tif 000012
【図１１】
2004327407.tif 000013
【図１２】
2004327407.tif 000014